(57)【要約】【課題】接続端子がボビンに安定に固定された状態を維持することができるモータを提供する。【解決手段】固定子をなすボビンに巻き付けられてコイルを構成するリード線Ｌと、前記リード線Ｌに電気的に接続され、前記リード線Ｌに電源を供給する電線Ｅと、前記リード線Ｌと前記電線Ｅを接続する接続端子５０と、前記接続端子５０の取付けのために前記ボビン２１の一側に設けられる端子挿着部４０と、前記端子挿着部４０に設けられ、前記電線Ｅに接続された前記接続端子５０が挿入され、前記リード線Ｌが配置される端子挿着溝４１と、前記電線Ｅが接続された接続端子５０を内部に収容して前記端子挿着溝４１に挿着され、前記接続端子５０の挿着状態を維持させる固定部材６０とを含む。【選択図】図３
2005168274.tif 000002
【特許請求の範囲】
【請求項１】
固定子をなすボビンに巻き付けられてコイルを構成するリード線と、
前記リード線に電気的に接続され、前記リード線に電源を供給する電線と、
前記リード線と前記電線を接続する接続端子と、
前記接続端子の取付けのために前記ボビンの一側に設けられる端子挿着部と、
前記端子挿着部に設けられ、前記電線に接続された前記接続端子が挿入され、前記リード線が配置される端子挿着溝と、
前記電線が接続された接続端子を内部に収容して前記端子挿着溝に挿着され、前記接続端子の挿着状態を維持させる固定部材と、
を有することを特徴とするモータ。
【請求項２】
前記固定部材と前記端子挿着部を相互結合するため、前記固定部材及び前記端子挿着部のいずれかの一つには第１フック係止部が設けられ、他の一つには前記第１フック係止部に係止される第１固定フックが設けられることを特徴とする請求項１に記載のモータ。
【請求項３】
前記接続端子は、その一側に、前記電線被覆の外面を把持して前記電線を前記接続端子に固定する固定部と、被覆の除去された前記電線の外面を取り囲んで前記電線を前記接続端子に電気的に接続させる接続部とが設けられ、前記接続端子の他側に、前記リード線の絶縁コートを切開するとともに前記リード線を挟支する接続スロットが設けられることを特徴とする請求項１に記載のモータ。
【請求項４】
前記接続スロットは、前記他側端部から幅が次第に減少して内側端では前記リード線の直径より小さい幅を有することを特徴とする請求項３に記載のモータ。
【請求項５】
前記固定部材は前記接続端子が収容される固定溝が一側に開放されるように形成され、前記固定部材の他側には前記端子挿着溝に配置された前記リード線が通過して前記固定部材の内部の前記接続端子に接続できるように所定幅に形成される固定スロットが設けられることを特徴とする請求項１に記載のモータ。
【請求項６】
前記固定部材の前記固定溝の開放部には前記固定溝の開放部を閉塞するためのカバーが設けられ、前記カバーには前記電線が貫通して、前記固定部材の内部に収容された前記接続端子に接続できるように、電線貫通孔が形成されることを特徴とする請求項５に記載のモータ。
【請求項７】
前記固定部材には前記接続端子を収容するための前記固定溝が多数設けられ、前記カバーは前記多数の固定溝の開放部をすべて閉塞することを特徴とする請求項６に記載のモータ。
【請求項８】
前記固定部材及び前記カバーのいずれか一つには第２フック係止部が設けられ、他の一つには前記第２フック係止部に係止されて前記固定部材と前記カバーを結合させる第２固定フックが設けられることを特徴とする請求項６に記載のモータ。
【発明の詳細な説明】
【技術分野】
【０００１】
本発明はモータに係り、より詳しくは接続端子がボビンに安定に固定された状態を維持することができるモータに関するものである。
【背景技術】
【０００２】
一般に、モータは電源に連結されて回転力を発生させる装置である。従来のモータは、コイルが巻き付けられた固定子と、該固定子の内側に配設され、永久磁石を内蔵する回転子とからなるもので、固定子に電源が印加されると、磁場の形成により回転子が固定子内で回転して回転力を発生させることができる。
【０００３】
このような従来のモータにおいて、固定子は円筒状のボビンの内側に突出した歯部にリード線を巻き付けてコイルを形成してなるもので、電源の印加により磁場を発生させる。
【０００４】
前記コイルのリード線に電源を連結するため、電源が伝達される電線とリード線を電気的に接続する接続端子が設けられる。接続端子の取付けのため、ボビンの一側には接続端子が挿着される端子挿着溝を設け、端子挿着溝にリード線を配置し、接続端子に電線を接続した後、接続端子を端子挿着溝に強制的に差し込んで、リード線を接続端子に接続することにより、電線とリード線を接続するようになっている。
【発明の開示】
【発明が解決しようとする課題】
【０００５】
ところで、このような従来のモータは、接続端子が端子挿着溝に強制的に差し込まれて固定されるので、固定作業に大きな力が必要であるだけでなく、長時間の使用の際、モータから発生する振動により接続端子が端子挿着溝から離脱するおそれがある問題点がある。  
したがって、本発明は、このような従来の問題点を解決するためになされたもので、その目的は、接続端子を容易にボビンに固定するとともに、接続端子が安定にボビンに固定された状態を維持することができるモータを提供することにある。
【課題を解決するための手段】
【０００６】
前記のような目的を達成するため、本発明は、固定子をなすボビンに巻き付けられてコイルを構成するリード線と、前記リード線に電気的に接続され、前記リード線に電源を供給する電線と、前記リード線と前記電線を接続する接続端子と、前記接続端子の取り付けのために前記ボビンの一側に設けられる端子挿着部と、前記端子挿着部に設けられ、前記電線に接続された前記接続端子が挿入され、前記リード線が配置される端子挿着溝と、前記電線が接続された接続端子を内部に収容して前記端子挿着溝に挿着され、前記接続端子の挿着状態を維持させる固定部材とを含んでなるモータを提供する。
【０００７】
前記固定部材と前記端子挿着部を相互結合するため、前記固定部材及び前記端子挿着部のいずれかの一つには第１フック係止部が設けられ、ほかの一つには前記第１フック係止部に係止される第１固定フックが設けられる。前記接続端子は、その一側に、前記電線被覆の外面を把持して前記電線を前記接続端子に固定する固定部と、被覆の除去された前記電線の外面を取り囲んで前記電線を前記接続端子に電気的に接続させる接続部とが設けられ、その他側に、前記リード線の絶縁コートを切開するとともに前記リード線を挟支する接続スロットが設けられる。前記接続スロットは、前記他側端部から幅が次第に減少して内側端では前記リード線の直径より小さい幅を有する。前記固定部材は、前記接続端子が収容される固定溝が一側に開放されるように形成され、前記固定部材の他側には、前記端子挿着溝に配置された前記リード線が通過して前記固定部材の内部の前記接続端子に接続できるように所定幅に形成される固定スロットが設けられる。前記固定部材の前記固定溝の開放部には、前記固定溝の開放部を閉塞するためのカバーが設けられ、前記カバーには、前記電線が貫通して、前記固定部材の内部に収容された前記接続端子に接続できるように、電線貫通孔が形成される。前記固定部材には、前記接続端子を収容するための前記固定溝が多数設けられ、前記カバーは前記多数の固定溝の開放部を全部閉塞する。前記固定部材及び前記カバーのいずれか一つには第２フック係止部が設けられ、ほかの一つには前記第２フック係止部に係止され、前記固定部材と前記カバーを結合させる第２固定フックが設けられる。
【発明の効果】
【０００８】
以上のような本発明のモータによると、接続端子が収容された固定部材が第１フック係止部及び第１固定フックの結合により端子挿着部に固定されるので、接続端子が端子挿着溝から離脱することを防止することができる。  
また、それぞれ電線が接続された多数の接続端子が固定部材内に収容されて固定された後、その固定部材が端子挿着部に固定され、多数の接続端子とリード線が同時に接続及び固定されるので、多数の電源及びリード線を簡単に接続することができる。
【発明を実施するための最良の形態】
【０００９】
以下、本発明の好ましい実施の形態を添付図面に基づいて詳細に説明する。
【００１０】
図１に示すように、本発明によるモータは、外観をなすケース１０内にコイル２３が巻き付けられた固定子２０と、該固定子２０内に回転可能に設けられ、マグネット３１を含み、電源の印加によって、固定子２０から発生する磁場と相互作用して回転力を発生させる回転子３０とを含む。
【００１１】
図２に示すように、固定子２０は、円筒状にモールド成形されたボビン２１と、該ボビン２１の内側に延長された多数の歯部２２とを含み、各歯部２２には、コイル２３を形成するため、リード線（Ｌ）が巻き付けられるので、電源の印加によって磁場を発生させる。
【００１２】
前記リード線（Ｌ）は電源に連結されるように電線（Ｅ）に接続される。このため、本発明によるモータには、図３に示すように、リード線（Ｌ）と電線（Ｅ）を電気的に接続させる接続端子５０が設けられ、ボビン２１の外周面一側には、接続端子５０を収容してリード線（Ｌ）と電線（Ｅ）が接続端子５０を介して接続された状態を持続的に維持する端子挿着部４０が突設されている。
【００１３】
前記端子挿着部４０には、接続端子５０が挿入できるように所定深さに多数の端子挿着溝４１が設けられ、歯部２２に巻き付けられたリード線（Ｌ）の端部が端子挿着部４０を貫通して半径方向の外側に突出できるようにするリード線収容スロット４２が設けられる。本実施例において、端子挿着部４０には、３本のリード線が３本の接続端子５０にそれぞれ接続できるように、三つの端子（リード線）収容スロット４２が並んで形成される。
【００１４】
前記接続端子５０は電線（Ｅ）及びリード線（Ｌ）にそれぞれ接続されて、電線（Ｅ）とリード線（Ｌ）が互いに電気的に接続されるようにするもので、その一側には、電線（Ｅ）を取り囲んでいる電線（Ｅ）の被覆の外面を挟支して電線（Ｅ）を接続端子５０に固定させる固定部５１と被覆の除去された電線（Ｅ）の外面を把持して、接続端子５０と電線（Ｅ）が接続されるようにする接続部５２とが順次設けられ、接続端子５０の他側には、絶縁のためにリード線（Ｌ）に薄くコートされている絶縁コートを切開して接続端子５０とリード線（Ｌ）を電気的に接続するとともにリード線（Ｌ）を挟支して接続端子５０に固定させる接続スロット５３が形成される。この際、接続スロット５３は、リード線（Ｌ）の絶縁コートを切開するとともにリード線（Ｌ）を挟支するように、その幅が端部から内側に次第に減少して、リード線（Ｌ）の直径より小さくなる。
【００１５】
また、本発明によるモータは、このような接続端子５０を端子挿着部４０に容易に取り付けるとともに接続端子５０が端子挿着部４０に安定に固定された状態を維持するように、固定部材６０を含む。
【００１６】
前記固定部材６０は、一側には、接続端子５０が挿入される固定溝６１が設けられ、他側には、固定溝６１に挿入された接続端子５０がその接続スロット５３を介して、端子挿着溝４１に配置されたリード線（Ｌ）と接続できるように、所定幅に開放された固定スロット６２が形成される。本実施例において、固定部材６０は、三つの接続端子５０が同時に三つのリード線（Ｌ）と接続できるように、三つの固定溝６１を有する。
【００１７】
また、このような固定部材６０を端子挿着部４０に挿着するため、固定部材６０の両側面には第１固定フック６３が突設され、端子挿着部４０には、第１固定フック６３に対応する位置に、第１固定フック６３が挿入されて係止される第１フック係止部４３が設けられる。したがって、第１固定フック６３が第１フック係止部４３に固定されることにより、固定部材６０が端子挿着部４０に固定されるので、固定部材６０が端子挿着部４０から離脱できなくなる。
【００１８】
更に、固定部材６０の開放部には、固定部材６０の開放部を閉塞して、接続端子５０が固定部材６０から離脱することを防止するカバー７０が設けられている。前記カバー７０には、カバー７０を固定部材６０に固定するため、両側に第２固定フック７１が設けられ、固定部材には、第２固定フック７１に対応する位置に、第２固定フック７１が係止される第２フック係止部６４が設けられている。したがって、第２固定フック７１が第２フック係止部６４に係止されることにより、カバー７０が固定部材６０に固定され、固定部材６０内に設けられた接続端子５０が固定部材６０から離脱できなくなる。また、カバー７０には、電線（Ｅ）が貫通して固定部材６０内の接続端子５０に接続できるようにするため、電線貫通孔７２が形成されている。
【００１９】
本実施例においては、端子挿着部４０に第１フック係止部４３を設け、固定部材６０に第１固定フック６３を設けているが、これに限らず、端子挿着部４０に第１固定フックを設け、固定部材６０に第１フック係止部を設けることもできる。
【００２０】
また、本実施例においては、固定部材６０に第２フック係止部６４を設け、カバー７０に第２固定フック７１を設けているが、これに限らず、固定部材６０に第２固定フックを設け、カバーに第２フック係止部を設けることもできる。
【００２１】
つぎに、このように構成される本発明によるモータのリード線と電線の接続過程及びそれによる効果を添付図面に基づいて説明する。
【００２２】
まず、電線（Ｅ）をカバー７０の電線貫通孔７２に貫通させた後、電線（Ｅ）の端部被覆の一部を除去し、被覆の除去された部位の電線（Ｅ）を接続部５２に固定し、被覆の残されている部位の電線（Ｅ）を固定部５１で固定することで、電線（Ｅ）を接続端子５０に固定させるとともに接続端子５０に電気的に接続させる。
【００２３】
つづいて、電線（Ｅ）に接続された接続端子５０を固定部材６０の固定溝６１に挿入した後、固定部材６０の開放部をカバー７０で閉鎖させる。この際、固定部材６０とカバー７０は第２フック係止部６４及び第２固定フック７１により互いに結合されるので、接続端子５０は固定部材６０から離脱できない。本実施例において、多数の接続端子５０が固定部材６０に設けられた多数の固定溝６１に挿入され、各固定溝６１の開放部は一つのカバー７０により閉鎖される。
【００２４】
一方、端子挿着部４０においては、歯部２２に巻き付けられたリード線（Ｌ）の端部を端子挿着部４０に設けられたリード線収容スロット４２を通過して端子挿着部４０の外側に突出させると、リード線（Ｌ）が端子挿着溝４１の中央側に配置されて、図４に示すような状態となる。
【００２５】
この状態で、接続端子５０が内蔵された固定部材６０を端子挿着溝４１に差し込むと、図５に示すように、端子挿着溝４１に配置されたリード線（Ｌ）が固定部材６０の固定スロット６２を介して接続スロット５３内に収容される。この際、接続スロット５３が外側端から次第に減少して内側端ではリード線（Ｌ）の直径より小さい幅を有するので、リード線（Ｌ）は接続スロット５３に進入する過程で、その表面の絶縁コートが切開され、よって接続端子５０とリード線（Ｌ）が電気的に接続されるとともにリード線（Ｌ）が接続スロット５３に挟支される。
【図面の簡単な説明】
【００２６】
【図１】本発明によるモータの断面図である。
【図２】本発明によるモータの固定子を示す図である。
【図３】本発明によるモータの接続端子を示す分解斜視図である。
【図４】本発明によるモータにおいて、接続端子を内蔵する固定部材が端子挿着部に挿着される過程を示す断面図である。
【図５】本発明によるモータにおいて、接続端子を内蔵する固定部材が端子挿着部に挿着された状態を示す断面図である。
【符号の説明】
【００２７】
１０  ケース
２０  固定子
２１  ボビン
２２  歯部
２３  コイル
３０  回転子
３１  マグネット
４０  端子挿着部
４１  端子挿着溝
４２  リード線収容スロット
４３  第１フック係止部
５０  接続端子
５１  固定部
５２  接続部
５３  接続スロット
６０  固定部材
６１  固定溝
６２  固定スロット
６３  第１固定フック
６４  第２フック係止部
７０  カバー
７１  第２固定フック
７２  電線貫通孔
Ｅ  電線
Ｌ  リード線
【図１】
2005168274.tif 000003
【図２】
2005168274.tif 000004
【図３】
2005168274.tif 000005
【図４】
2005168274.tif 000006
【図５】
2005168274.tif 000007